(57)【要約】【課題】パソコンおよびプリンタなどの電気製品やテレビジョン・ラジオ・扇風機などの家電製品に使用する電源コード・配線コードなど各種コードの余剰部分を整理するとともに、長さ調整を容易にする。【解決手段】パソコンおよびプリンタなどの電気製品やテレビジョン・ラジオ・扇風機などの家電製品に使用する電源コード・配線コードなど各種コードの余剰部分を、コード巻取り具の基盤に設けた折返し部に互いに密着することなく巻き付けるようにするとともに、上記折返し部に対向してカバー部を係合して該折返し部を覆うことにより、コードの長さを適切に調整して整理するようにしたものである。【選択図】図１
2006278306.tif 000002
【特許請求の範囲】
【請求項１】
配線コード，配線ケーブル，電源コード，延長コード等のコード余剰部分を巻き付け整理するコード巻取り具において、余剰部分のコードを整理する処理装置の基盤に折返し部を複数設け、該折返し部に上記余剰部分のコードを引っ掛けることにより上記コードを巻き付けるとともに、上記折返し部に対向してカバー部を係合し、該折返し部を覆うようにしたことを特徴とするコード余剰処理装置。
【請求項２】
配線コード，配線ケーブル，電源コード，延長コード等のコード余剰部分を巻き付け整理するコード巻取り具において、余剰部分のコードを整理する処理装置の基盤と該基盤に対向して係合するカバー部との間に折返し部を取着するための取着台を介装し、該取着台の表裏に複数の折返し部を立設し、これら基盤，取着台およびカバー部を重合することにより、取着台に立設した折返し部を覆うようにしたことを特徴とするコード余剰処理装置。
【請求項３】
上記基盤および取着台に複数の折返し部を立設したことを特徴とする請求項２記載のコード余剰処理装置。
【発明の詳細な説明】
【技術分野】
【０００１】本発明は、テレビジョン・コンポ・ラジオ・扇風機・ホームコタツなどの家電製品，コンピュータ機器，電話機など各種電気製品の電源コード・配線コード・配線ケーブルなどの各種コードの処理に関するもので、これら余剰部分のコードを整理するコード余剰処理装置に係るものである。
【背景技術】
【０００２】一般家庭あるいは企業の事務所においては、テレビジョン・コンポ・ラジオ・扇風機・ホームコタツなどの家電製品，コンピュータ機器，電話器など各種電気製品が設置されており、これら電気製品の電源コード・配線コード・配線ケーブルなどの各種コード，これら電気製品とコンセントとを接続するための延長コード，テレビのフィーダー線，電話線など無数のコードが複雑に使用されている。【０００３】上記のような種々の電気製品に接続されているコードは、通常２．５〜３．０ｍの長さで各種製品に装備されている。このコードは適切な長さに設計されているが、使用場所によっては長すぎたり、あるいは短かすぎたりすることがある。
コードが長い場合には、そのまま使用するに支障はないが、余剰部分が生じ、弛みが発生する。
また、逆にコードが短い場合は、延長コードで継ぎ足すことにより使用することが一般的である。この場合、継ぎ足したことにより同様にして延長コードに余剰部分が生じ、弛みが発生する。【０００４】このように、上記電気製品に装備されるコードは長くても短くても、いずれの場合であっても余剰部分が生じ、弛みが発生することになる。その余剰部分は、壁に設置されたコンセントの周囲に雑多に放置されていることが多く、これらのコードは、各種電気製品の背面に乱雑にまとめられるか、あるいは紐などで縛り付けてまとめられている。
その為、美観を損ねるとともに、各種コード同士が絡んだり、あるいは混同して配線間違いを起こし易いという問題点を有していた。また、雑多に放置していると、ホコリなどの塵芥が貯まり、コード自体が汚れ易くなる。【０００５】特に、企業の事務所内では、パーソナルコンピュータ（以下「パソコン」という）や電話機などの設置台数が多いため、パソコン用配線コード，電話の配線コードなどが、非常に複雑となり、乱雑にまとめられると、上記のような問題は、より深刻である。
また、大量のコードが一箇所にまとめられると、どのコードがどの機器に繋がっているのか、コードを一本づつ辿りながら確認しなければならず、機器のレイアウト変更とか引越などの場合、作業が非常に面倒になる。【０００６】これに対し、余剰部分を巻取るリール式の装置が提案されたり、また、次のような考案が提案されている。
【特許文献１】特開２００１−３５０５４５号公報（同公報図１および図２参照）
パソコンあるいはプリンタなど各種機器の背面または側面に、配線コードを巻き付ける芯を固定して、該芯に配線コードを巻き付けるようにした発明が提案されている。【特許文献２】実用新案登録第３０８２１０２号公報（同公報図３参照）
パソコンと周辺機器とを接続する通信配線用コードを収納する巻取り器として、巻取り器中央に巻取り筒を形成し、該巻取り筒に配線を巻き付けるようにした考案が提案されている。
【発明の開示】
【発明が解決しようとする課題】
【０００７】パソコンあるいはプリンタなど各種コンピュータ機器の背面または側面に配線コードを巻き付ける芯を固定して、該芯に配線コードを巻き付けるようにした場合には、機器の背面あるいは側面に出っ張りが生じる為、梱包した際には上記機器の梱包自体が大きくなるし、通常使用時においても邪魔になるとともに、これらのコードに引っかかりコードが抜け、入力したデータが全て無駄になるなどの問題がある。
また、巻取り器中央に巻取り筒を形成し、該巻取り筒に配線コードを巻き付けるようにした巻取り器の場合は、巻き込んだ状態で適切な長さに調整すると、機器のレイアウト変更とか引越をした場合には、再度巻き直しをしなければ適切な長さに調整することができず、非常に手間を要するものである。
これらの問題については、パソコンについてだけでなく、テレビジョン・コンポ・ラジオ・扇風機・ホームコタツなどの家電製品，電話機など各種電気製品の電源コード・配線コード・配線ケーブルなどの各種コードの処理についても同様である。【０００８】そして、これらの考案は、いずれもコードを重ね合わせ束ねるようにして巻き付けるようにしたものであり、巻き付けるための芯や筒にコードを互いに密着して巻き付けている為、コードの許容電流が少なくなり、長時間使用した場合には、発熱し易くなる。その結果、コードの絶縁被覆が溶解し、ショートに至る可能性があるという問題がある。【０００９】そこで、本発明はコードを互いに密着することなくコードを巻き付け、該コードを最適な長さに容易に調整することが可能なコード余剰処理装置を提供することを目的とする。
【課題を解決するための手段】
【００１０】本発明は、配線コード，配線ケーブル，電源コード，延長コード等のコード余剰部分を巻き付け整理するコード巻取り具であって、余剰部分のコードを整理する処理装置の基盤に折返し部を複数設け、この折返し部に上記余剰部分のコードを折返し引っ掛けることにより上記余剰部分のコードを巻き付けるとともに、上記折返し部に対向してカバー部を係合して該折返し部を覆うようにしたコード余剰処理装置である。【００１１】また、本発明は、配線コード，配線ケーブル，電源コード，延長コード等のコード余剰部分を巻き付け整理するコード巻取り具であって、余剰部分のコードを整理する処理装置の基盤と該基盤に対向して係合するカバー部との間に折返し部を取着するための取着台を介装し、該取着台の表裏に複数の折返し部を立設し、これら基盤，取着台およびカバー部を重合することにより、取着台に立設した折返し部を覆うようにしたコード余剰処理装置である。
あるいは、上記基盤および取着台のいずれにも複数の折返し部を立設し、これら基盤，取着台およびカバー部を重合することにより、基盤および取着台に立設した折返し部を覆うようにしたコード余剰処理装置である。
【発明の効果】
【００１２】上記のように構成したことにより、配線コード，電源コード，延長コード等の余剰部分のコードが互いに密着することなく、基盤上の折返し部に巻き付けることができるようになり、各種電気製品の背面に乱雑に放置されている各種コード類を簡便に整理することができるようになった。
また、カバー部で基盤上の折返し部を覆っているので、巻き付けた余剰部分のコードが外部から見えなくなり、美しく整理することができるとともに、清掃も容易になり、コードにホコリ・塵芥などが貯まり難くなる。その結果、コードに引っかかりコードが抜けて入力したデータを無駄にすることもなくなり、各種電気製品の背面も綺麗に整理することができるようになった。【００１３】そして、コードを巻き付ける際に、配線コード，電源コード，延長コード等のコードは、折返し部に交互に巻き付けており、お互いに密着して重なり合うことがないので、コードを重合させたことにより生じる可能性のある熱の発生を極力低減することができ、安全に使用可能となった。【００１４】また、引越あるいは部屋内のレイアウト変更により各種機器を移動しても、移動後における各種機器の配線などの選別が容易であり、しかも配線コードなど各種コードの長さ調整を容易に行うことが可能である。
更に、コード余剰処理装置の基盤の形状を動物，乗り物，植物，建物などの形状にデザインすれば、部屋の装飾インテリアにもなり、部屋内を明るく和ませることができるとともに、室内を美麗に整理整頓が可能となる。
また、コード余剰処理装置の基盤を覆うカバー部の頂面を偏平にすることにより、調度品の飾り台として利用することも可能である。
【発明を実施するための最良の形態】
【００１５】以下に、本発明によるコード余剰処理装置の最良の実施形態を図面に基づいて説明する。図１は、本発明によるコード余剰処理装置の最良の形態を示す斜視図である。
同図において、１はコード余剰処理装置で、該コード余剰処理装置１は、基盤２およびカバー部３から成っている。そして、コード余剰処理装置１は、本実施例の場合、基本形として円形状に形成したものを示しており、材料は合成樹脂，木材，金属等で成型される。４は余剰部分のコードで、配線コード，電源コード，延長コード等の余剰部分のコードを示す。
上記基盤２には、その周縁部に複数個の折返し部５が立設して形成されており、整理すべき余剰部分のコード４は、該折返し部５に引っ掛けることにより巻き付け整理されている。【００１６】次に、余剰部分のコード４をコード余剰処理装置１に巻き付けるための処理操作について、図２により詳細に説明する。図２は、図１の基盤２の平面図である。
同図に示すように、本実施例では、７本の折返し部５（５１，５２，・・・５６，５７）が基盤２に立設して形成されている。
同図示のとおり、例えば、コンセントの周囲にグシャグシャに集められた余剰部分のコード４の適切な個所を、まず折返し部５１に引っ掛けて折返し、次に折返し部５２，５３，５４，・・・，５７へ順次交互にコード４を蛇行状に引っ掛け巻き付ける。そして、余剰部分のコード４が非常に長く、整理すべき余剰部分のコード４に、まだ余剰部分が残っている場合には、更に折返し部５１に引っ掛け、再度同様にして折返し部５２，５３，５４・・へ順次交互にコード４を蛇行状に引っ掛け巻き付けるようにすれば、余剰部分のコード４が長尺であっても該コード４を短くまとめて巻き付けることができることとなる。
このようにして、１本置きに折返し部５に引っ掛けることにより、該コード４が互いに密着することなく、適切に間隙を有して巻き付けることができる。【００１７】上記巻き方については、本実施例に限定するものではなく、２本置きに引っ掛けるようにしてもよく、使用者の工夫により種々の方法で巻き付けることができることは言うまでもない。
また、上記基盤２の大きさは特定しないが、余剰部分のコード４の太さや余剰部分の長さに応じた大きさのコード余剰処理装置１を選択して巻き付ければ、よりスッキリと整理することができることは言うまでもない。
そして、該折返し部５は、巻き付けられたコード４が折返し部５からはずれないように、その先端を基盤２の外方へやや曲折しておけば、より確実に巻き付けることができる。
なお、本実施例では、基盤２に対し折返し部３を鉛直に立設したものを示したが、引っ掛けたコード４が、折返し部３の先端部からはずれないよう引っ掛かるような形状であれば、球状，円盤状，多角形状，円錐状等いずれでも良い。また、折返し部５は、基盤２に対し外方に傾斜して起立しておけば、コードがはずれ難くなるという効果が得られることは言うまでもない。
また、基盤２と折返し部３とは、一体的に形成しても良く、あるいは別個に生成し、これを接着剤等で固着あるいは圧入・嵌合などにより、一体的に形成しても良い。【００１８】次に、図３によりカバー部３について詳細に説明する。
図３Ａは、図１中ＩＩＩ−ＩＩＩ線における断面側面図で、図３Ｂは図１に示すカバー部３の底面図である。同図に置いて、６は凹部で、該凹部６は前記基盤２上に立設した折返し部５，５，５・・に対向して形成されたもので、該凹部６と折返し部５とは互いに係合し、これら折返し部５を覆うようにしたものである。
このように、カバー部３により折返し部５を覆うようにしたので、コード４が多少緩んでも、該折返し部５より外れることはない。
なお、本実施例では、カバー部３をマウスの形にしたものを示したが、形状としてはこれに限定するものではない。
【実施例１】
【００１９】図４は、本発明によるコード余剰処理装置１の基盤２に関する他の実施例を示す平面図である。本実施例によるコード余剰処理装置１は、基盤２に立設する折返し部５を８本立設して形成したものである。そして、この場合、余剰部分のコード４は、２本置きに折返し部５に引っ掛けるようにして巻き付けたもので、基盤２の大きさにもよるが、前記実施例と比較して、余剰部分のコード４をより長く巻き付けることができることになる。
【実施例２】
【００２０】図５は、本発明によるコード余剰処理装置１の基盤２に関する他の実施例を示す平面図である。上記実施例では、基盤２が円形状のものであるのに対し、本実施例では、基盤２を六角形状とし、折返し部５を基盤２の中央部にも形成したものである。本実施例では、余剰部分のコード４を周縁部の折返し部５に巻き付け、これを中央部の折返し部５に、そして周縁部の折返し部５へ、更に中央部の折返し部５にと順次巻き付けたものである。本実施例によれば、余剰部分のコード４の折り曲げ角度を大きくして巻き付けるようにしたので、コード４がパソコン用配線ケーブルのように太いケーブルであっても容易に巻き付けることができる。
なお、本実施例の場合、折返し部５を覆うカバー部３は、基盤２と同様に六角形状にしなければいけないことは言うまでもない。また、基盤２およびカバー部３は、上記形状の限定するものではなく、三角形，四角形，五角形，八角形などの多角形であっても良いことは言うまでもない。
【実施例３】
【００２１】次に、図６〜８は、カバー部３の他の実施例を示す。
図６は、カバー部３の側面断面図で、図３Ａの凹部６がほぼ垂直であるのに対し、本実施例の凹部６は多少傾斜させたものであり、この傾斜を設けたことにより、折返し部５との係合をより緊密に行えるようにしたものである。
【実施例４】
【００２２】図７は、カバー部３の実施例を示すものである。同図Ａは側面断面図で、同図Ｂは底面図である。同図に示すように、折返し部５に対向する凹部６は、溝状に形成したものである。
【実施例５】
【００２３】図８は、カバー部３の他の実施例を示すものである。同図は底面図で、同図に示すように、折返し部５に対向する凹部６は、それぞれ折返し部５に対応して穴状に形成したものである。
【実施例６】
【００２４】図９は、本発明によるコード余剰処理装置１の適用例を示す。本実施例は、携帯電話を収納しうる容器としたちのである。図９Ａはコード余剰処理装置１の適用例を示す斜視図、同図Ｂはその背面図である。
同図Ａにおいて、７は携帯電話立であり、８は鉛筆・定規・ハサミ・ボールペンなどを収納できるペン立、９は印鑑・付箋・消しゴムなどを収納できる蓋付小物入れである。また、同図Ｂに示すように、携帯電話立７内には携帯電話１０を充電するための充電器１１が収納されている。
充電器１１を携帯電話立７内に収納し、その余剰部分のコード４を基盤２の折返し部６に巻き付け、コンセントに差し込んでおく。
このようにしておけば、常に机上の整理整頓がなされ、しかも常時手の届く範囲に携帯電話１０を置いておくことができ、且つ該携帯電話１０を充電することができるので、充電忘れということがなくなり、非常に便利である。【００２５】図１０は、本発明によるコード余剰処理装置１の他の適用例を示す概略斜視図である。本実施例は、パソコンに適用できるようにしたコードの余剰処理装置である。図１１は、図１０中の取着台の実施例を示す側面図である。
図１０において、１２は鉛筆・定規・ハサミ・ボールペンなどを収納できる小物入、１３はパソコンのマウスを収納するマウス台、１４はパソコンに接続するＡＣアダプタ１５を収納する収納ボックスである。
また、同図に示すように、基盤２とカバー部３との間には折返し部６を取着するための取着台１６が介装されている。該取着台１６は、図１１に示すように、その表裏に複数の折返し部６が立設されており、一方にパソコンＰＣとＡＣアダプタ１５を接続する余剰のコード４を巻き付け、他方にＡＣアダプタ１５とコンセントＣを接続する余剰のコード４を巻き付ける。また、１７はカバー部３に対する位置決め用のピンである。
このように巻き付けた余剰部分のコード４は、上記基盤２，取着台１６およびカバー部３をお互いに係合することにより、これら上記折返し部５を覆うようにしたものである。
なお、本実施例では、基盤２には折返し部６を設けず、取着台１６の表裏に折返し部６を立設したものを示したが、該収着台１６と基盤２とにそれぞれ折返し部６を立設するようにしても良く、また基盤２に立設した折返し部６に上記複数のコードを個別に巻き付けるようにしても良いことは言うまでもない。【００２６】前記実施例では、コード余剰処理装置１をマウスの形状にしたものを最良の形態として示したが、本実施例によるコード余剰処理装置１は、同図示のマウスの形状に限らず、動植物，乗り物，種々のキャラクター等いずれの形状にしても良い。
このように、本発明によるコード余剰処理装置１は、種々形状のバリエーションのものが考えられるが、これらの実施例に限定するものではなく、思想を同じくするものであれば、どのような形状であっても良いことは言うまでもない。このように形成すれば、室内のインテリアの一部になり、美観上も非常に良くなる。【００２７】また、電源コード，配線コード，延長コード等種々のコードは、用途により太さが異なる。コードの太さに応じ、大きさの異なる基盤を適用し、且つ折返し部の間隔や本数の異なるコード余剰処理装置を準備しておけば、それぞれに対応して使用することにより、整理が容易になる。【００２８】また、図示しないが、前記基盤２にフックを取付けておけば、壁あるいはデスク側壁等に吊架することにより、床面に放置することなく、よりスッキリと整理することができる。あるいは、基盤２に磁石を固着、または埋設しておくことにより、オフィスのスチール製机あるいはキャビネット等の側壁に磁着させることにより、同様にしてスッキリと整理することができる。
【産業上の利用可能性】
【００２９】特になし。
【図面の簡単な説明】
【００３０】
【図１】本発明によるコード余剰処理装置の最良の形態を示す概略斜視図である。
【図２】図１の基盤２の平面図である。
【図３】図１のカバー部を示す図で、図３Ａは図１中ＩＩＩ−ＩＩＩ線における断面側面図で、図３Ｂはカバー部の底面図である。
【図４】本発明によるコード余剰処理装置の基盤の他の実施例を示す平面図である。
【図５】本発明によるコード余剰処理装置の基盤の他の実施例を示す平面図である。
【図６】本発明によるコード余剰処理装置のカバー部の他の実施例を示す側面断面図である。
【図７】本発明によるコード余剰処理装置のカバー部の他の実施例を示す図で、図７Ａは側面断面図で、図７Ｂは底面図である。
【図８】本発明によるコード余剰処理装置のカバー部の実施例を示す底面図である。
【図９】本発明によるコード余剰処理装置を携帯電話コード収納に適用した例を示す概略斜視図で、図９Ａはその斜視図、図９Ｂはその背面図である。
【図１０】本発明によるコード余剰処理装置をパソコンに使用する電源コードに適用した例を示す概略斜視図である。
【図１１】本発明によるコード余剰処理装置の取着台の実施例を示す側面図である。
【符号の説明】
【００３１】１      コード余剰処理装置
２      基盤
３      カバー部
４      余剰部分のコード
５，５１，５２，５３，５４，５５，５６，５７      折返し部
６      凹部
１０    携帯電話
１１    充電器
１６    取着台
Ｃ      コンセント
ＰＣ    パソコン
【図１】
2006278306.tif 000003
【図２】
2006278306.tif 000004
【図３】
2006278306.tif 000005
【図４】
2006278306.tif 000006
【図５】
2006278306.tif 000007
【図６】
2006278306.tif 000008
【図７】
2006278306.tif 000009
【図８】
2006278306.tif 000010
【図９】
2006278306.tif 000011
【図１０】
2006278306.tif 000012
【図１１】
2006278306.tif 000013